(57)【要約】【課題】本体前面上部にある米投入口は、投入口が小さいために米を外にこぼし易く、少量づつ投入すると時間が掛かってしまう。又、米袋を持ち上げて投入する場合は、大変な労力が必要になる。【解決手段】米案内壁と米袋受け面を有する米投入補助具を米投入口に差込取り付けることにより米が外にこぼれるのを防止することが出来る。すなわち投入用のじょうろを取り付けた状態となり、米を楽に早く投入することが出来る。又、米袋受け面に米袋を乗せて作業が出来るので非常に楽になる。【選択図】図２
2007020857.tif 000002
【特許請求の範囲】
【請求項１】
底面（１）の側端に米案内壁（４a）（４b）を垂設し、前方上部に底面（１）に対して適度の間隔と角度を有するストッパー面（２）を並設し、底面（１）とストッパー面（２）とでくさび形状をなすと共に、底面（１）の後部に米袋受け面（３）を隣設したことを特徴とする米びつの米投入補助具
【請求項２】
米袋受け面（３）の下部に長さ調整可能な支持棒（９）とロック部（１０）を取り付けたことを特徴とする請求項１記載の米びつの米投入補助具
【発明の詳細な説明】
【技術分野】
【０００１】
本発明は、米びつに米を投入する作業を、円滑に且つ楽に失敗なく行うために用いる米の投入補助具に関するものである。
【背景技術】
【０００２】
一般家庭用の米びつは、主に米びつ単体の物とキャビネットに組み込まれた物が製造販売されていて、米びつ単体の物の米の投入口は本体の上面に設置してあり米を投入する際は上蓋を外すことにより投入可能となる。一方、キャビネットに組み込まれた米びつの投入口は前面上部に設置してあり、米を投入する際は回動軸を有する前蓋５を、任意の角度まで開けることにより投入可能となる構造となっている。
【０００３】
しかし、この前面上部に設置された投入口の大きさに関しては、米びつ本体の大きさおよびデザイン上、前蓋５の幅と高さが制限されてしまうために投入口は設計上大きくしようとしても大きく出来ない構造となっている。従って、使用者が希望する大きさの投入口が得られないために、米を外にこぼしたり、米袋を長時間持ち上げていなくてはならなくて、たいへん苦労しながら米の投入作業を行っているのが実態である。
【０００４】
このように現在の投入口は米を投入する際に非常に使いづらいのは解っているがその解決策がなく、ほとんど改善されないままの状態で現在に至っている。製造メーカによっては米の投入口を大きくしようと思考はされてはいるようだが使用者の求めている横の部分からの米のこぼれや米袋の重さに対しては対応していなく、実際には実現化されていない。
【特許文献１】特許公開平８−１０１７７
【発明の開示】
【発明が解決しようとする課題】
【０００５】
米びつの前面上部に設置された投入口から米を投入しようとする際に、投入口が小さいために急いだり投入量を多くしたりすると外にこぼしてしまう場合があるために、少量ずつ、しかもゆっくりとしか投入できなくなり手間がかかってしまう。又、５〜２０キログラム入りの米袋の上部の一辺をカットして持ち上げて傾けて入れる場合などは米袋を支える所もなく手で持ち上げたままの状態が長く続き、男性はもちろんであるが、女性や高齢者にとっては特にたいへんでつらい作業となっている。
【課題を解決するための手段】
【０００６】
米びつの投入口そのものを大きくすること自体は、ほぼ不可能のために米びつの前面上部に設置された前扉５を開けた状態で、本発明の投入補助具を前扉５の傾斜部分に乗せて差込取り付ける事により大きな投入口があるのと同じ役割を果たすようになる。すなわち本発明の投入補助具はじょうろと同じ役目を果たし米を外にこぼさないようになっている。又、後部に米袋の一部分または全部をを乗せて作業を行える米受け面３を設けて長時間米袋を手で持ち上げて支えなければならない労力の軽減を図る構造になっている。
【発明の効果】
【０００７】
投入補助具の案内壁４a,４bにより米が外にこぼれる事がなくなるために安心して大量の米を連続して投入することができる。同時に米袋受け面３に重い米袋の一部を乗せることができるため米袋の全重量を長時間支える必要がなくなり作業が非常に楽になる。このように従来の欠点であった部分を全て解決することができる。
【発明を実施するための最良の形態】
【０００８】
キャビネットに組み込まれた米びつの前面上部に設置された投入口の大きさについては、現在製造販売されている各メーカーの製品はほぼ同じ位の寸法で製作されてはいるが、全く同じ寸法ではない。そのため多少の寸法違いであっても着脱できるようにするために投入口寸法の高さの違いに対しては本米投入補助具の底面１とストッパー面２に適度の角度をつけて対処してある。この角度がくさびと同じ役割を果たし、投入口寸法が短い場合は先端部分しか入らず、投入口寸法が長い場合は、奥の方まで入る事により全ての投入口寸法に対応出来るようになっている。又、このくさびの形状により本米投入補助具が投入口にきちんと固定されて安定した状態になる。幅に関しては各製造メーカーの中で本体投入口の一番狭いと考えられる幅より少し狭くしてあり、いかなる場合でもガイドレール７と干渉しない寸法となっている。従って投入口の幅の広いものに対して多少の隙間が発生しても、固定は高さ方向のくさび形状で行うためになんだ問題はない。後部には、幅を広くした米袋受け面３を設けて米袋の重量を支えるようになっている。
【０００９】
このような、構造のために本発明の米投入補助具はキャビネットタイプに付属している米びつに関しては、ひとつの米投入補助具で全ての製造メーカーの製品に対応することができる。なお、米びつ単体で本体が小さく米の収納量が少ない小型の米びつに関してもその投入口寸法に対応して本発明の米投入補助具を小型化することにより、ひとつの米投入補助具で全ての製造メーカーの製品に対応することができる。
【実施例１】
【００１０】
図２に基づいて説明すると、底面１に対して適度の角度のついたストッパー面２と米を外にこぼさないで、かつスムーズに投入口に導くための米案内壁４a、４b、を両側辺に設け、後部には米袋の一部又は全部を乗せることが出来る米袋受け面３を設けた米投入補助具を米びつの前面上部に設置された投入口に差込んで取り付ける。
【００１１】
このとき米投入補助具のストッパー面２が米びつ投入口のストッパー支持体７に圧着した状態になりくさびの効果も相まって完全に固定された状態になる。これは、米びつの前扉５自体についている傾斜角度と投入補助具のストッパー面２の角度が加わり上方から下方に突き刺さったような状態になるためである。この後、米を投入したり、米袋受け面３に米袋を乗せた場合でもさらに下方に力が働き固定される力が増加して動いたり外れたりする心配はない。従って、取り付け方法はただ差し込むだけで固定できるために他に固定するための固定具は一切必要としない。
【００１２】
米案内壁４a、４bは米を外にこぼさないようにしながら投入口に導くための物でガイドレール７と干渉しないようにその外から扇形に広がり米を投入し易くする役目をしている。
【００１３】
後部の米袋受け面３は投入口に取り付けた時にその面がほぼ水平になるようにするために底面１に対して角度をつけてあると同時にその幅も出来るだけ広くして米袋を乗せ易くしている。
【００１４】
図４の実施例は、米袋受け面３の下部に収縮調整可能な米受け面支持体９を取り付けた物である。米受け面支持体９のいずれかの部分にロック部１０を設け床面と米袋受け面３との間に隙間がないように長さを調整してセットする。この米受け面支持体９は米袋を誤って高い箇所から落下させた時の衝撃により前扉５や本発明の米投入補助具が破損しないように衝撃を受け止める役目を果たす。
【図面の簡単な説明】
【００１５】
【図１】キャビネットタイプの米びつの斜視図である。
【図２】米投入補助具の実施方法を示した斜視図である。（実施例１）
【図３】米投入補助具の実施中を示した断面図である。（実施例１）
【図４】別の米投入補助具の実施中を示した断面図である。（実施例２）
【符号の説明】
【００１６】
１    底面
２    ストッパー面
３    米受け面
４a   米案内壁
４b   米案内壁
５    前扉
６    前面パネル
７    ガイドレール
８    ストッパー支持体
９    米受け面支持体
１０    ロック部
１１    床
【図１】
2007020857.tif 000003
【図２】
2007020857.tif 000004
【図３】
2007020857.tif 000005
【図４】
2007020857.tif 000006